(57)【要約】【課題】  従来の物は蝶番の支軸内にコイルバネ等が内蔵され複雑な物で、また部品が多く高価なうえ、扉に先付けの構造であるため、故障または取替え時に扉全体を外す必要があり、不便である。そこで本発明は、上記の問題点を解決する為、低価格で取り付けの簡素化を課題にしたものである。【解決手段】  蝶番の支軸に着脱自在に装着する為に断面C字型に中空の円柱体とし、その上下端に蝶番の可動板と固定板を受ける為の係止部を設け、中央付近に前記蝶番支軸を抱き込む係止爪を形成する。  扉を開くときに前記蝶番可動板で前記係止部の押圧力に抗して前記円柱体をねじり、扉を開き状態にすると共にねじり力を開放することにより、円柱体のねじり力が復元し、扉を閉じ状態に戻す構成とした事を特徴とする、扉開閉補助用治具である。【選択図】図２
2012026133.tif 000002
【特許請求の範囲】
【請求項１】
建物の開口部の扉に配設された蝶番Ａ .Ｂの支軸１０に後付で着脱自在に装着可能にされた、開閉補助用治具であって、前記支軸１０に脱着自在に装着する為に、断面Ｃ字型の中空の円柱体Ｘとし、その上下端に蝶番の可動板外面６と固定板外面９を受ける為の係止部１．２．３．４を設け中央付近に前記蝶番支軸１０を抱き込む係止爪５を形成することにより、扉を開くときに前記蝶番の固定板８を前記一方の係止部３に係止した状態で可動板外面６で前記他方の係止部２を押圧に抗して前記円柱体の補助用治具Ｘをねじり、扉を開き状態にすると共に、ねじり力を開放することにより円柱体の補助用治具Ｘのねじりが復元し、扉を閉じ状態に戻すように構成としたことを特徴とする。
【発明の詳細な説明】
【技術分野】
【０００１】
本発明は一般建築物の扉の自動閉鎖に供する扉開閉補助用治具に関するものである。
【背景技術】
【０００２】
従来の公知の物は、例えば先行技術文献に示すように蝶番の支軸内にコイルバネ等が内蔵された複雑なものである。
【先行技術文献】
【特許文献】
【０００３】
【特許文献１】特開２００３−２３２１６２号
【発明の概要】
【発明が解決しようとする課題】
【０００４】
従来の物は蝶番の支軸内にコイルバネ等が内蔵され複雑な物で、また部品が多く高価なうえ、扉に先付けの構造であるため、故障または取替え時に扉全体を外す必要があり、不便である。
【０００５】
そこで本発明は、上記の問題点を解決する為、低価格で取り付けの簡素化を課題にしたものである。
【課題を解決するための手段】
【０００６】
この課題を解決するために本発明は、建物の開口部の扉に配設された蝶番A .Bの支軸１０に後付で着脱自在に装着可能にされた、開閉補助用治具であって、前記支軸１０に脱着自在に装着する為に、断面C字型の中空の円柱体Xとし、その上下端に蝶番の可動板６と固定板８を受ける為の係止部１．２．３．４を設け中央付近に前記蝶番支軸１０を抱き込む係止爪５を形成することにより、扉を開くときに前記蝶番の固定板８を前記一方の係止部３に係止した状態で可動板６で前記他方の係止部２を押圧に抗して前記円柱体Xをねじり、扉を開き状態にすると共に、ねじり力を開放することにより円柱体Xのねじりが復元し、扉を閉じ状態に戻すように構成としたことを特徴とする、扉開閉補助用治具を提供するものである。
【発明の効果】
【０００７】
上記のように、蝶番支軸に簡単な構造の扉開閉補助治具を着脱自在に装着するだけで、扉が自動閉鎖する特徴を持たせました。
【図面の簡単な説明】
【０００８】
【図１】図1は、本発明品の正面図である。
【図２】図2は、本発明品の側面図である。
【図３】図3は、図2のD−D’断面図である。
【図４】図4は、蝶番Aの動作を示す蝶番の図である。
【図５】図5は、蝶番Aに、本発明品を装着下図である。
【図６】図6は、本発明品を装着した蝶番Aの、90°開いた図である。
【図７】図７は、本発明品を装着した蝶番Aの、180°開いた図である。
【図８】図8は、他の実施例の蝶番Bの図である。
【図９】図9は、図8の蝶番Bが180°開いた図である。
【図１０】図10は、本発明品を他の実施例の蝶番Bに装着した図である。
【図１１】図11は、図10の本発明品を装着した蝶番Bの、90°開いた図である。
【図１２】図12は、図10の発明品を装着した蝶番Bを180°開いた図である。
【発明を実施するための形態】
【０００９】
本発明の−実施形態について蝶番Aで説明する。図１．２．３が本発明品の第一の実施例の扉開閉補助治具を示すものである。
【００１０】
補助用治具Xの断面C字型の中空の円柱体の上下端にはそれぞれ１．２．３．４．と二組の係止部設け、中央付近に蝶番支軸を抱き込む係止爪５を設ける。
【００１１】
図５は、蝶番支軸１０に本発明品円柱体の補助用治具Xを装着した状態である。
【００１２】
図６と図７で本発明品の組付状態を説明すると、  
係止部１は、蝶番可動側内面７に面しており、
係止部２は、蝶番可動側外面６に面しており、
係止部３は、蝶番固定側外面９に面しており、
係止部４は、蝶番固定側内面８に面しており、
係止爪５は、蝶番可動側６と蝶番固定側８の間に蝶番支軸10を抱き込むように設けてある。
【００１３】
図６図７は補助用治具Xを、矢印で示す９０°と１８０°に開いた状態を示し、開いた状態では、係止部１は蝶番可動側内面７にあり係止部２は、蝶番可動側外面６に密着し、弾圧状態になっている。係止部３は、円柱体の補助用治具Xのねじれ動作に伴い、蝶番固定側外面９に密着し、弾圧保持状態にあり、係止部4は、蝶番固定側内面８にあり、円柱体の補助用治具Xは、ねじれ状態に、又係止爪５は、本体のねじれ回転に伴い図７に示すように少し回転移動するが、蝶番支軸１０を抱き押圧力がかかった時も支軸１０から外れないよう抱き込む状態を維持しています。
【００１４】
図８、図９は、他の実施例を示す大版の蝶番Bで蝶番Aとは、形状が別のものである。
【００１５】
図１０は上記実施例と同様、蝶番Bに、円柱体の補助用治具Xを装着した図である。
【００１６】
図１１、図１２は前記図６と図７に相当する蝶番Bに、補助用治具の円柱体Xを装着し、９０°と１８０°に開いた状態の図である。
【００１７】
以下上記実施例と他の実施例に用いた本発明品について、その構造を詳細に説明する。
a部分は本体Xの背中部分（ねじれ部分）の端面を示し、上方から下部にかけて、斜めに形成しています。この部分は色々試作しましたが、垂直にすると、係止爪が折れたり、クラックが入ったりしましたので、最終的に図５に示すように斜めにする事で、それらを解消できました。またこの斜めの角度Θをとりすぎると復元力が弱くなる。よってこの部分aは図２と図５に示すように保止爪5の上下共斜めに角度Θを１０度から１５度の間に設定することがこのましい。
（作動原理の説明）
【００１８】
次に本発明品の作動（動作）原理について説明する。蝶番の支軸１０に着脱自在に装着する円柱体Xの開閉補助用治具Xであって、係止部２は、蝶番可動側外面６に又係止部３は蝶番固定側外面９に密着し、常時弾圧状態に有り、中央付近に蝶番支軸１０を抱き込む係止爪５で固定されている。扉を開くときに、前記蝶番可動板６で前記係止部の押圧力に抗して、円柱体の補助用治具Xがねじり状態と共に、ねじり力が増圧され、ねじり力を開放することにより、円柱体の補助用治具Xのねじり力が復元し、扉を閉鎖状態に戻す構成を特徴としている。
【００１９】
円柱体の補助用治具Xの材質は、合成樹脂で製作しましたが、ヒンジ性、バネ性のある金属、ゴムであってもよいことは、言うまでもない。又は形状記憶合金であればなおよい。
【符号の説明】
【００２０】
Ａ・Ｂ  ・・・        蝶番
１．２．３．４・・・  係止部
５・・・              係止爪
６・・・              可動板外側
９・・・              固定板内側
１０・・・            蝶番の支軸
Ｘ・・・              補助用治具（中空の円柱体）
【図１】
2012026133.tif 000003
【図２】
2012026133.tif 000004
【図３】
2012026133.tif 000005
【図４】
2012026133.tif 000006
【図５】
2012026133.tif 000007
【図６】
2012026133.tif 000008
【図７】
2012026133.tif 000009
【図８】
2012026133.tif 000010
【図９】
2012026133.tif 000011
【図１０】
2012026133.tif 000012
【図１１】
2012026133.tif 000013
【図１２】
2012026133.tif 000014